(57)【要約】 【課題】二枚刃の替刃を使用出来る直線型安全カミソリのホルダーに、三枚刃以上の複数枚刃を使用する為の治具を提供する。【解決手段】二枚刃の替刃を使用出来る直線型安全カミソリのホルダーを利用する為、二枚刃と二枚刃替刃用の直線型安全カミソリの取り付け部分のレールの構造を使い、それをベースとしそのベースの上に可動可能な複数枚刃を取り付ける為の爪を取り付ける、これによって、二枚刃の替刃を使用出来る直線型安全カミソリに複数枚刃を取り付ける事が可能になり、可動可能な爪の為、治具はその複数枚刃の刃の部分の交換を可能にした。次に、ベースと複数枚刃の間に低反発性のクッションをもうける事で複数枚刃が肌に触れる際にソフトなタッチが生まれ顔の曲線部分でも、肌に密着する事を可能にする。【選択図】  図１
2014121426.tif 000002
【特許請求の範囲】
【請求項１】
直線型安全カミソリに替刃カートリッジを取り付けるための替刃取付治具であって、直線型安全カミソリの替刃取付部に固定され、偏平形状の本体と本体の裏面に列記替刃取付部に嵌合する取付リブと、本体の表面に設けられ替刃カートリッジの取付穴部に挿入されて前記替刃カートリッジを揺動可能に固定する取付爪を備えることを特徴とする替刃取付治具。
【請求項２】
替刃取付治具の前記本体と前記替刃カートリッジの間に、前記替刃カートリッジを反発する為の低反発性のクッションを備えることを特徴とする請求項１記載の替刃取付治具。
【発明の詳細な説明】
【技術分野】
【０００１】
本発明は、理容師、美容師が、お客様の髭を剃るために使用する直線型安全カミソリへの替刃カートリッジ取付用の替刃取付治具に関する。
【０００２】
理容師が顔剃りに使用する道具として直線型安全カミソリがある。直線型の柄に替刃式カートリッジを取り付けたものであり、種々のメーカーに関係なく替刃本体と直線型カミソリを共有できる。二枚刃の替刃、シック、フェザー、ウィルキンソン等が使える直線型安全カミソリが何種類か有り、二枚刃を共有して使える。例えば、特開平5-123460号（特許文献1参照）。
さらに、三枚刃の替刃、シック、フェザー、ジレット等があるがこちらは、三枚刃の刃体専用の安全カミソリのホルダーが必要である。例えば、特開2004-255084号（特許文献2参照）。
【先行技術文献】
【特許文献】
【０００３】
【特許文献１】特開平5-123460号公報
【特許文献２】特開2004-255084号公報
【特許文献３】実用新案登録第3143703号公報
【特許文献４】特開2005-198898号公報
【発明の概要】
【発明が解決しようとする課題】
【０００４】
理美容業界で顔そりの道具として一枚刃、二枚刃、三枚刃とあるが、全て替刃式になっている。
一枚刃と、二枚刃は刃体を共有出来るホルダーがあるが、三枚刃以上に関しては、図7、図8に示すように種々の形状に構成されており、その刃体専用の安全カミソリが必要である、三枚刃以上になると本体も大きくなり、替刃の刃を肌に密着するには力が入りすぎる。さらに、三枚刃以上になると肌に触れる接地面がふえ、理容師としての技術も要するため専用のホルダーが用いられている。
【課題を解決するための手段】
【０００５】
本発明は直線型安全カミソリに替刃カートリッジを取り付けるための替刃取付治具であって、直線型安全カミソリの替刃取付部に固定され偏平形状の本体と、本体の裏面に列記替刃取付部に嵌合する取付リブと本体の表面に設けられ替刃カートリッジの取付穴部に挿入されて前記替刃カートリッジを揺動可能に固定する取付爪を備えることを特徴とする替刃取付治具。
【０００６】
前記替刃取付治具本体と前記替刃カートリッジの間前記カートリッジを反発する為の低反発性のクッションを備えることを特徴とする替刃取付治具。
【発明の効果】
【０００７】
治具を介して替刃を取り付けるので種々のメーカーに関わらず取付が可能である。
【図面の簡単な説明】
【０００８】
【図１】替刃式カミソリの台座に可動可能な爪とクッションを付けた図である。
【図２】台座に複数枚刃を取り付けようとする図である。
【図３】台座に複数枚刃を取り付けた側面図である。
【図４】複数枚刃を装着する時の操作をする為の図である。
【図５】長柄カミソリの商品例
【図６】長柄カミソリについての特開平5-123460（特許文献1）の開示例
【図７】安全カミソリのホルダーについての実用新案発録第3143703号（特許文献３）の開示例
【図８】フェザー長柄カミソリについての特開2005-198898号（特許文献４）の開示例
【発明を実施するための形態】
【０００９】
本発明は、様々なホルダーで複数枚刃を使用可能にする為の治具である。
理美容業界で現在理容師が顔剃りをする為の道具として、一枚刃の替刃は、日本  刀式、レザー式がある。二枚刃の替刃はレール式、リベット式がある。三枚刃の替刃に関しては、三枚刃本体の専用ホルダーが必要である。四枚刃以上の替刃は、現在業務用直線型安全カミソリでは、存在しない。
そこで二枚刃の替刃用の直線型安全カミソリの柄は、図5図6で示すように、図5リブ602は、レール式で、
図6リベット302は、リベット式である。
図5で示す本体601直線型安全カミソリのようなレール式は、他にも何種類かある。
図6で示す本体301直線型安全カミソリのようなリベット式はこの一種類である。
図1で示す本体101の取付リブ102がレール式、リベット式に装着出来る。
二枚刃の替刃用直線型安全カミソリは種々のメーカーの物がある。
この二枚刃替刃用直線型安全カミソリに複数枚刃を装着する為の治具である。
【００１０】
現在理美容業界で幅広く使われている特開平5-123460号（特許文献1参照）のような直線型安全カミソリに複数枚刃を脱着する為には、図1で示すような本発明である治具が必要である。複数枚刃の刃体が肌に優しく密着する事が可能になり、理容師の技術の補助的な役割を果たし、お客様の肌への負担を軽減する。
本体101は、長方形で直線型安全カミソリの取付面側に取付リブ102がある。取付リブ102は、細い溝になっており、取付リブ102の幅は決まっている、その取付リブ102の幅に合う直線型安全カミソリは、種々のメーカーから市販されている。図5で示すように直線型安全カミソリ601では、レール式のリブ602に取付リブ102が装着できる。図6で示すように直線型安全カミソリ301では、リベット302を取付リブ102の間に装着する為、替刃式二枚刃と直線型安全カミソリは共有出来るようになっている。本体101の取付リブ102の反対側左端に取付爪103a、取付爪103bは複数枚刃を取付る為に必要である。取付爪103a取付爪103bはどちらが可動可能でもよいがここでは取付爪103aが可動するとして説明をする。
【００１１】
取付爪103aが可動可能な為、複数枚刃の脱着が出来る。図2で示すように、複数枚刃の替刃本体201の穴部202bに本体101の取付爪103bが入る。穴部202aに取付爪103bが横方向に回転しながら入る。図4で示すように、直線型安全カミソリ（特開平5-123460で説明する。）は、本体301の図示右側にリベット302がある、このリベット302に治具本体101の取付リブ102が装着する。装着した治具本体101の取付リブ103aが複数枚刃の本体201の穴部202a、取付リブ103bが穴部202bに装着する。
【符号の説明】
【００１２】
101  本体
102  取付リブ
103a 取付爪
103b 可動可能取付爪
104  クッション
201  複数枚刃
202aリブ
202ｂリブ
301  カミソリの柄
302  リベット
401  カミソリの柄
402  三枚刃
501  カミソリの柄
502  三枚刃
601  カミソリの柄
602  リブ
【図１】
2014121426.tif 000003
【図２】
2014121426.tif 000004
【図３】
2014121426.tif 000005
【図４】
2014121426.tif 000006
【図５】
2014121426.tif 000007
【図６】
2014121426.tif 000008
【図７】
2014121426.tif 000009
【図８】
2014121426.tif 000010